(57)【要約】【課題】排気構造の簡略化を図るとともに、鍋を取り外した状態でも熱気が鍋装着部から漏れないようにした炎漏出防止型のガスコンロを提供する。【解決手段】コンロ本体の上面の天板３に鍋Ｐを挿入するための開口部３ａを設け、この開口部に装着される鍋Ｐの底よりも下方にブンゼン式のガスバーナ４を設け、開口部に装着される鍋Ｐの周囲およびガスバーナ４の周囲を囲む燃焼室６を設ける。燃焼室６の上部に天板３と平行な方向にエアを供給するエアカーテン発生装置４１を設け、燃焼室の上部と排気筒７とを連通する排気通路と設ける。開口部３ａにエアカーテンを形成して、燃焼室内の熱気が開口部から上方へ漏れるのを防止する。燃焼ガスおよび熱気はエアカーテンのエア流に沿って流れ、排気筒７を介してコンロ本体の外部に放出される。【選択図】　　図７
2004069113.tif 000002
【特許請求の範囲】
【請求項１】
鍋を装着するための開口部を備えた天板と、
装着された前記鍋の鍋底より下方に配置されるガスバーナと、
前記開口部に装着される前記鍋の周囲および前記ガスバーナの周囲を断熱材で囲んだ燃焼室と、
前記燃焼室の上部に接続され、燃焼ガスを排出する排気通路と
を有することを特徴とするガスコンロ。
【請求項２】
請求項１記載のガスコンロにおいて、
前記排気通路内に排気ファンを配置すること
を特徴とするガスコンロ。
【請求項３】
請求項１記載のガスコンロにおいて、
前記燃焼室の下部に空気を送り込む送風ファンを設けたこと
を特徴とするガスコンロ。
【請求項４】
請求項１乃至３のいずれか１項に記載のガスコンロにおいて、
前記天板と前記排気通路との間に前記燃焼室に空気を送り込む空気流入通路が配置されていること
を特徴とするガスコンロ。
【請求項５】
鍋を装着するための開口部を備えた天板と、
挿入された前記鍋の鍋底より下方に配置されるブンゼン式のガスバーナと、
前記開口部に向けて前記天板と略平行な方向にエアを供給するエアカーテン発生装置と、
前記エア及び燃焼ガスを外部へ排出させる排気通路と
を有することを特徴とするガスコンロ。
【請求項６】
鍋を装着するための開口部を備えた天板と、
挿入された前記鍋の鍋底より下方に配置されるブンゼン式のガスバーナと、
前記開口部に装着される前記鍋の周囲および前記ガスバーナの周囲を囲む燃焼室と、
前記燃焼室の上部に上記天板と略平行な方向にエアを供給するエアカーテン発生装置と、
前記燃焼室の上部に接続され、前記エア及び燃焼ガスを排出する排気通路と
を有することを特徴とするガスコンロ。
【請求項７】
鍋を装着するための開口部を備えた天板と、
前記開口部に装着される前記鍋の底に向けて炎を噴射するブラスト式のガスバーナと、
前記開口部に向けて前記天板と略平行な方向にエアを供給するエアカーテン発生装置と、
前記エア及び燃焼ガスを排出する排気通路と
を有することを特徴とするガスコンロ。
【請求項８】
請求項１乃至７のいずれか１項に記載のガスコンロにおいて、
前記鍋を支えるために前記天板から弾性体で網を支えた支え網構造を有していること
を特徴とするガスコンロ。
【発明の詳細な説明】
【０００１】
【発明の属する技術分野】
本発明は、ガスバーナの炎や熱気がコンロ本体の上方に放出されるのを抑制できるガスコンロに関する。
【０００２】
【従来の技術】
従来のガスコンロは、バーナの上部に爪付きの五徳が設けられており、バーナの炎や、炎により生じた熱気が五徳の爪部に載置された鍋等の底面に沿って五徳の外側に放出されるようになっている。このため、放出された熱気によって鍋等の取手が加熱され、取手が持ち難くなるといった不具合を生ずることがある。
【０００３】
このような不具合を解消するための炎漏出防止型のコンロは、例えば特開平９−２４３０８８号公報を初めとして種々提案されている。提案されている炎漏出防止型のコンロは、バーナの炎を囲う筒状の五徳と、バーナの炎により生じた熱気を五徳で囲われた空間から強制的に吸引排気する排気ファンを備え、炎や熱気が五徳の外側に漏出するの防止している。
【０００４】
上記公報では、コンロ本体の天板に鍋を周囲に隙間を存して挿入可能な凹入部を設け、凹入部の周囲に凹入部内に向けて炎を噴出するバーナを配置するとともに、凹入部の底部に排気ファンを設けた排気通路を接続させることで、熱気による鍋の取手の加熱を防止して、加熱効率を向上させるようにしたコンロを提案している。
【０００５】
【発明が解決しようとする課題】
しかしながら、上記公報等で提案された炎漏出防止型のコンロは、バーナの炎により生じた熱気を五徳で囲われた空間から強制的に吸引排気するために、五徳を内外２重構造にするとともに、五徳の内周壁に排気窓を形成する必要があり、このため五徳の構造が複雑になってしまうという不具合を有している。
【０００６】
また、上記公報で提案されたコンロは、排気通路に排気ファンを設ける必要があり、このため構造が複雑になってしまうという不具合を有している。さらに、上記公報等で提案された炎漏出防止型のコンロは、鍋を取り去った際には熱気が上方に放出されてしまう。これを防止するには、鍋が脱着されたことを検出してガスの燃焼を停止したり、ガスの燃焼量を低くしたりする複雑な制御が必要になる。このため、ガスを燃焼させていても、鍋の装着部の上方に熱気が上がらないようにすることが望まれている。
【０００７】
本発明はこのような課題を解決するためになされたもので、排気構造の簡略化を図った炎漏出防止型のガスコンロを提供することを目的とする。また、本発明は鍋を取り外した状態でも熱気が鍋装着部から上方に上がらないようにしたガスコンロを提供することを目的とする。
【０００８】
【課題を解決するための手段】
上記目的は、鍋を装着するための開口部を備えた天板と、装着された前記鍋の鍋底より下方に配置されるガスバーナと、前記開口部に装着される前記鍋の周囲および前記ガスバーナの周囲を断熱材で囲んだ燃焼室と、前記燃焼室の上部に接続され、燃焼ガスを排出する排気通路とを有することを特徴とするガスコンロによって達成される。
【０００９】
本発明によるガスコンロは、コンロ本体の内部に燃焼室を設け、天板の開口部に装着された鍋の周囲と燃焼室との間の空間を排気のために利用するので、排気構造が簡単である。なお、排気通路に排気ファンを配置することで、排気を確実に行うことができる。
【００１０】
また、送風ファンを設けて燃焼室の下部に空気を送り込む構造にすることで、ガスの燃焼を確実にするとともに、排気通路を介しての排気を確実に行うことができる。
【００１１】
また、天板と排気通路との間に燃焼室に空気を送り込む空気流入通路を配置することにより、空気流入通路を流れる空気により天板を冷却することができると共に、排気通路を流れる熱い排気ガスの熱を空気流入通路を流れる空気に伝えて熱交換させることにより、ガス燃焼時の給気温度を上昇させて燃焼の効率を向上させることができるようになる。
また、五徳の代わりに鍋を支えるために天板から弾性体で網を支えた支え網構造にしてもよい。
【００１２】
また、本発明の目的は、鍋を装着するための開口部を備えた天板と、挿入された前記鍋の鍋底より下方に配置されるブンゼン式のガスバーナと、前記開口部に向けて前記天板と略平行な方向にエアを供給するエアカーテン発生装置と、前記エア及び燃焼ガスを外部へ排出させる排気通路とを有することを特徴とするガスコンロによって達成される。
【００１３】
本発明によるガスコンロは、鍋を挿入するための開口部にエアカーテンを形成する構造としたので、燃焼室内の熱気が開口部から上方へ漏れるのを防止することができる。
【００１４】
また、本発明の目的は、鍋を装着するための開口部を備えた天板と、挿入された前記鍋の鍋底より下方に配置されるブンゼン式のガスバーナと、前記開口部に装着される前記鍋の周囲および前記ガスバーナの周囲を囲む燃焼室と、前記燃焼室の上部に上記天板と略平行な方向にエアを供給するエアカーテン発生装置と、前記燃焼室の上部に接続され、前記エア及び燃焼ガスを排出する排気通路とを有することを特徴とするガスコンロによって達成される。
【００１５】
本発明によるガスコンロは、鍋を挿入するための開口部にエアカーテンを形成する構造としたので、燃焼室内の熱気が開口部から上方へ漏れるのを防止することができる。
【００１６】
また、本発明の目的は、鍋を装着するための開口部を備えた天板と、前記開口部に装着される前記鍋の底に向けて炎を噴射するブラスト式のガスバーナと、前記開口部に向けて前記天板と略平行な方向にエアを供給するエアカーテン発生装置と、前記エア及び燃焼ガスを排出する排気通路とを有することを特徴とするガスコンロによって達成される。
【００１７】
本発明によるガスコンロは、鍋を挿入するための開口部にエアカーテンを形成する構造としたので、燃焼室内の熱気が開口部から上方へ漏れるのを防止することができる。
【００１８】
また、鍋を装着するための開口部を備えた天板と、前記開口部に装着される前記鍋の側周面および底面を囲む燃焼室と、前記開口部に装着される前記鍋の側周面に向けて下向きの炎を噴出する下向き内炎式ブラストバーナと、前記燃焼室の底部と外部とを接続する排気通路とを有するようにしてもよい。
【００１９】
本発明によるガスコンロは、下向きの炎を噴出する下向き内炎式ブラストバーナを備えているので、下向き内炎式ブラストバーナから下向きに噴射されるエアの勢いで、熱気を燃焼室の底部に接続する排気通路を介してコンロ本体の外部に放出することができる。排気通路の排気ファンを設けることなく、熱気を排気できるので構造が簡単である。
【００２０】
【発明の実施の形態】
〔第１の実施の形態〕
本発明の第１の実施の形態によるガスコンロについて図１乃至図６を用いて説明する。図１は本実施の形態によるガスコンロの模式構造を示す縦断面図、図２は本実施の形態によるガスコンロの排気構造を示す水平断面図であり、図１のＢ−Ｂ線断面図である。
【００２１】
図１に示すように本実施の形態によるガスコンロ１は、箱形の筺体２と、鍋装着用の開口部３ａを備える天板３と、ブンゼンバーナ４とを有している。また、ガスコンロ１は、開口部３ａに装着された鍋Ｐの底部側の周側面およびブンゼンバーナ４の周囲を略円筒形状の断熱材５で囲んで形成した燃焼室６と、天板３の上面に立設した排気筒７と、燃焼室６の上部と排気筒７とを結ぶ排気通路８と、排気通路８に設けられた排気ファン９とを有している。また、ガスコンロ１は、鍋Ｐの装着および鍋Ｐの鍋底の温度を検出するセンサ部１０と、ブンゼンバーナ４の燃焼／停止を制御する制御部１１とを有している。
【００２２】
また、排気筒７と排気通路８とを接続させるために天板３には連通孔３ｂが形成されている。ブンゼンバーナ４にはガス供給口１２からガス配管１３ａ，１３ｂを介してガスが供給されるようになっている。天板３の上面の開口部の周囲には環状の断熱材１４が取り付けられている。また、天板３の下面にも断熱材１５ａ，１５ｂが取り付けられている。
【００２３】
鍋Ｐは一対の取手ＰＡを備えるとともに、取手ＰＡよりも下側に鍋Ｐの側周面から外方へ延出する環状の鍔部ＰＢを備える。鍔部ＰＢが天板３の上面の開口部の周囲に設けられた環状の断熱材１４に当接することで、鍋Ｐが天板３上に載置・支持されるとともに、開口部３ａを閉塞して燃焼室６内の熱気が取手ＰＡ側に漏れるのを防止するようになっている。なお、本実施の形態では、天板３の上面に設けた環状の断熱材１４を介して鍋Ｐの鍔部ＰＢを載置・支持することで、鍋Ｐの熱が天板３に伝達され難くしているが、断熱材１４を設けずに天板３で鍋Ｐの鍔部ＰＢを載置・支持する構造としてもよい。また、本実施の形態では、天板３の下面に断熱材１５ａ，１５ｂを設けることで、燃焼室６内の熱気および排気通路８内の熱気によって天板３が加熱されるのを防止している。
【００２４】
筺体２は筺体の外側と内側とを接続する連通孔（不図示）を複数箇所に備える。これにより、コンロ本体内に燃焼用の空気が流入するようになっている。燃焼室６を形成する略円筒形状の断熱材５の下側には複数の空気流入口５ａが設けられており、これらの空気流入口５ａを介して燃焼室６内に空気が流入するようになっている。
【００２５】
ブンゼンバーナ４は、ガス噴出部とその周囲に形成された空気孔とを有しているノズル部、ガスと空気とを混合する混合部と、複数の炎孔を備えたバーナヘッドと、着火プラグとを備えている。
【００２６】
制御部１１は、ガス配管１３ａ，１３ｂ間に介設された電磁式のガス流量弁と、図示しない操作部から操作指令入力に基づいてガス流量弁の開度制御および着火プラグによる着火制御、並びに排気ファンの運転制御を行う燃焼制御部と、電池電源または商用電源を入力として必要な電源を供給する電源部を備えている。
【００２７】
燃焼制御部はセンサ部１０の出力を監視しており、鍋Ｐが装着されていない状態では着火を禁止するようになっている。また、燃焼制御部は、鍋底の温度が予め設定した温度範囲内になるようにガス燃焼量の調整を行う。さらに、燃焼制御部は、鍋底の温度が予め設定した過熱温度に達した場合にはガスの燃焼を停止させたり、ガスの供給量を低減させたりするようになっている。燃焼制御部は、ガス燃焼状態で鍋Ｐが取り外されたことを検出した場合には、ガスの燃焼を停止させるようにしてもよい。また、燃焼制御部は、ガス燃焼状態で鍋Ｐが取り外れたことを検出した場合には、ガスの供給量を例えば最小段階に低減するようにしてもよい。さらに、燃焼制御部は、ガスの供給量を例えば最小段階に低減した状態が予め設定した許容時間を越えた場合には、ガスの燃焼を停止させるようにしてもよい。燃焼制御部は、ガスの燃焼を停止させた時点から所定時間が経過するまでは排気ファン９の運転を継続させるようにしてもよい。これにより、燃焼室６内の熱気を完全に逃すことができる。
【００２８】
図１および図２に示すように、燃焼室６の上部は排気通路８の一端側に連通され、図１に示すように、排気通路８の他端側は排気筒７を介してコンロ本体の外部で大気側に開放されている。したがって、排気ファン９を運転することで、ガス燃焼によって生じた燃焼ガスおよびガス燃焼によって生じた熱気を排気通路８および排気筒７を介してコンロ本体の外部へ放出することができる。図１中の矢印は燃焼ガスおよび熱気の流れを模式的に示している。燃焼室６の上部は鍋Ｐの鍔部ＰＢによって閉塞されているので、熱気が開口部３ａから上方に逃げることはない。したがって、鍋Ｐの取手ＰＡが過熱されることはない。
【００２９】
ブンゼンバーナ４は燃焼室６の下方に設けているので、鍋Ｐを取り外した状態であってもブンゼンバーナ４の炎が開口部３ａよりも上方へ出ることはない。したがって、開口部３ａの上方に手をかざしても火傷等のおそれがなく安全である。このため、ガスの無駄な消費を低減することを考慮しなくてもよい場合には、鍋Ｐの脱着を検出してガスの燃焼を停止したりガス燃焼量を低減したりする制御が不要となる。
【００３０】
図３及び図４は本実施の形態によるガスコンロの変形例を示す縦断面図である。図１に示したガスコンロ１は天板３上に鍋Ｐを載置する構造であるので、鍋Ｐの重量および鍋Ｐの内容物の重量を支持するためには天板３の剛性を高くする必要がある。そこで、図３に示すガスコンロ２０は、燃焼室６内の鍋Ｐを載置するための架台２１を設けたものである。図３では、複数の爪部２１ａを備えた脚部の長い（背の高い）五徳形状の架台２１を例示したが、例えば図４に示すように爪部２１ａの代わりに目の荒い網（例えば焼網）を備え、天板３からばねなどで網を支える支え網構造２２を五徳の代わりに用いるようにしてもよい。
【００３１】
図５は本実施の形態によるガスコンロの他の変形例を示す縦断面図である。図１に示したガスコンロ１は排気通路８に排気ファン９を設けているので、高温に耐える排気ファン９を用いる必要がある。これに対して、図５に示すガスコンロ３０は、燃焼室５の各空気流入口５ａに接続する空気流入通路３１を設け、この空気流入通路３１に送風ファン３２を設置している。送風ファン３２を運転することで、筺体２に形成した空気取入口２ａから空気を取り込み、取り込んだ空気を空気流入通路３１を介して燃焼室６の下部から燃焼室６内に強制的に送給することで、燃焼室６内の燃焼ガスおよび熱気を排気通路８および排気筒７を介してコンロ本体の外部へ放出させるようになっている。なお、図５では図示の都合上、図１に示した制御部１１およびガス配管１３ａ，１３ｂの記載を省略している。
【００３２】
図６は本実施の形態によるガスコンロのさらに他の変形例を示す縦断面図である。図１乃至図５に示したガスコンロは天板３直下に排気通路８が設けられているため、天板３は高温に耐える材質が要求される。これに対して、図６に示すガスコンロ３５は、天板３直下の空間に燃焼室５の各空気流入口５ａに接続される空気流入通路３１を設け、また空気流入通路３１に送風ファン３２を設置している。さらに、排気通路８は空気流入通路３１直下に配置されている。これにより、空気流入通路３１を流れる空気により天板３を冷却することができると共に、排気通路８を流れる熱い排気ガスの熱を空気流入通路３１を流れる空気に伝えて熱交換させることにより、ガス燃焼時の給気温度を上昇させて燃焼の効率を向上させることができるようになる。
【００３３】
〔第２の実施の形態〕
次に、本発明の第２の実施の形態によるガスコンロについて図７及び図８を用いて説明する。図７は本実施の形態によるガスコンロの模式構造を示す縦断面図、図８は図７に示したガスコンロのエアカーテンの作用を説明する図である。図７に示すガスコンロ４０は、燃焼室６の上部にエアを天板３に平行な方向に送給するエアカーテン発生装置４１を設けるとともに、エアカーテン発生装置４１から送給されたエアをコンロ本体の外部に排出する排気通路８および排気筒７を設けたものである。筺体２の側面には空気取入口２ｂが形成されている。
【００３４】
図８に示すように、エアカーテン発生装置４１は、燃焼室６の直径に相当する広い範囲に亘ってエアを送給する。エアカーテン発生装置４１から送給されたエアはエアカーテン通路４２内を流れ、排気筒７を介してコンロ本体の外部に放出される。燃焼ガスおよび熱気は、エアカーテン通路４２内のエア流に沿って流れ、排気筒７を介してコンロ本体の外部に放出される。このように、本実施の形態によるガスコンロ４０は、燃焼室６の上部にエアカーテンを形成する構造としたので、燃焼ガスおよび熱気が開口部３ａから開口部３ａの上方へ漏れるのを防止することができる。このため、鍔部を備えていない通常の鍋Ｐを使用しても、また、鍋Ｐを装着していない状態でも、燃焼ガスおよび熱気が開口部３ａから漏れるのを防止できる。
【００３５】
〔第３の実施の形態〕
次に、本発明の第３の実施の形態によるガスコンロについて図９を用いて説明する。図９は本実施の形態によるガスコンロの模式構造図である。図９に示すガスコンロ５０は、ブラストバーナ５１を備え、天板３の開口部３ａに装着された鍋Ｐの底部に向けてブラストバーナ５１の炎Ｈを斜めに噴射するようになっている。また、ガスコンロ５０は、開口部３ａに向けて天板３と平行な方向にエアを供給するエアカーテン装置４１を備えている。ガスコンロ５０は、エアカーテン装置４１から送給されたエアとともに燃焼ガスおよび熱気を排気筒７を介してコンロ本体の外部に放出する構造になっている。なお、天板３の下面には断熱材１５ａ，１５ｂが設けられ、筺体２の内面であって排気筒７の下方には断熱材１５ｃが設けられている。架台２１は、鍋Ｐを載置するための爪部２１ａを有している。架台２１の下方には汁受け部５２が設けられている。
【００３６】
図９に示した本実施の形態によるガスコンロ５０は、図８に示した第２の実施の形態によるガスコンロ４０と同様に、開口部３ａにエアカーテンを形成する構造としたので、燃焼ガスおよび熱気が開口部３ａから開口部３ａの上方へ漏れるのを防止することができる。このため、鍔部を備えていない通常の鍋Ｐを使用しても、また、鍋Ｐを装着していない状態でも、燃焼ガスおよび熱気が開口部３ａから漏れるのを防止できる。
【００３７】
〔第４の実施の形態〕
次に、本発明の第４の実施の形態によるガスコンロについて図１０及び図１１を用いて説明する。図１０は本実施の形態によるガスコンロの模式構造を示す縦断面図、図１１は図１０に示したガスコンロの平面図である。図１０に示すガスコンロ６０は、コンロ本体の上面の天板３に鍋Ｐを装着するための開口部３ａを設け、この開口部３ａに装着される鍋Ｐの側周面および鍋Ｐの底面を囲む燃焼室６を形成し、鍋Ｐの側周面に向けて下向きの炎Ｈを噴出する下向き内炎式ブラストバーナ６１を設け、鍋Ｐの底面の下方に燃焼ガスを鍋底に効果的に流すための風向変更板６２を配置し、燃焼室６の底部の中央部と排気筒７との間を排気通路６３で連通させたものである。燃焼室６の外周面を覆うように断熱材６４が設けられている。架台６５は、鍋Ｐを載置するための爪部６５ａを有している。
【００３８】
本実施の形態によるガスコンロ６０は、下向きの炎Ｈを噴出する下向き内炎式ブラストバーナ６１を用いているので、下向き内炎式ブラストバーナ６１から下向きに噴射されるエアの勢いで、燃焼ガスおよび熱気を燃焼室６の底部に接続された排気通路６３を介してコンロ本体の外部に放出することができる。排気通路６３に排気ファンを設ける必要がないので、排気通路６３の構造が簡略化できる。
【００３９】
【発明の効果】
以上の通り、本発明によれば、排気構造の簡略化を図った炎漏出防止型のガスコンロを実現できる。また、エアカーテン装置を備えることで、鍋を取り外した状態でも熱気が鍋装着部から上方に上がらないようにしたガスコンロを実現できる。
【図面の簡単な説明】
【図１】本発明の第１の実施の形態によるガスコンロの模式構造を示す縦断面図である。
【図２】本発明の第１の実施の形態によるガスコンロの排気構造を示す水平断面図であり、図１のＢ−Ｂ線断面図である。
【図３】本発明の第１の実施の形態によるガスコンロの変形例を示す縦断面図である。
【図４】本発明の第１の実施の形態によるガスコンロの他の変形例を示す縦断面図である。
【図５】本発明の第１の実施の形態によるガスコンロのさらに他の変形例を示す縦断面図である。
【図６】本発明の第１の実施の形態によるガスコンロのまたさらに他の変形例を示す縦断面図である。
【図７】本発明の第２の実施の形態によるガスコンロの模式構造を示す縦断面図である。
【図８】本発明の第２の実施の形態によるガスコンロのエアカーテンの作用を説明する図である。
【図９】本発明の第３の実施の形態によるガスコンロの模式構造を示す縦断面図である。
【図１０】本発明の第４の実施の形態によるガスコンロの模式構造を示す縦断面図である。
【図１１】本発明の第４の実施の形態によるガスコンロの平面図である。
【符号の説明】
１，２０，３０，４０，５０，６０　ガスコンロ
２　筺体
２ａ，２ｂ　空気取入口
３　天板
４　ブンゼンバーナ
５，１４，１５ａ，１５ｂ，６４　断熱材
６　燃焼室
７　排気筒
８，６３　排気通路
９　排気ファン
１０　センサ部
１１　制御部
１２　ガス供給口
１３ａ，１３ｂ　ガス配管
２１，６５　架台
２１ａ，６５ａ　架台の爪部
２２　支え網構造
３１　空気流入通路
３２　送風ファン
４１　エアカーテン発生装置
４２　エアカーテン通路
５１　ブラストバーナ
５２　汁受部
６１　下向き内炎式ブラストバーナ
６２　風向変更板
【図１】
2004069113.tif 000003
【図２】
2004069113.tif 000004
【図３】
2004069113.tif 000005
【図４】
2004069113.tif 000006
【図５】
2004069113.tif 000007
【図６】
2004069113.tif 000008
【図７】
2004069113.tif 000009
【図８】
2004069113.tif 000010
【図９】
2004069113.tif 000011
【図１０】
2004069113.tif 000012
【図１１】
2004069113.tif 000013